(57)【要約】 【課題】要介護者、幼児、ペットの口腔内を清潔に保ち、口腔内、また、それ以外の病気の予防のために、無理なく習慣として歯みがきを続けることができ、扱いやすく、手入れが簡単で、短時間で歯みがきができる歯ブラシを提供する。【解決手段】本体の柄１に可撓部材、好ましくは可撓部材がシリコンゴム、シリコン樹脂、ＡＢＳ、塩化ビニ−ル、合成ゴム、天然ゴムであって、柄に添わせた指５と６の開閉により撓み、指の運動を補助することで、自在に曲げ伸ばし、ねじることができ、人差し指５と親指６を挿入したサック２と３は、互いに引っ張り合う力で指から抜け落ちることがなく、この状態が柄１の機能に加わることで、更に自在に操れる状態となり、すみずみまでみがきやすい歯みがきを提供する。【選択図】  図１
2014083350.tif 000002
【特許請求の範囲】
【請求項１】
可撓部材の両端に指サックとブラシを設けたことを特徴とする歯ブラシ。
【請求項２】
本体のブラシ間の柄が弾力性を有する可撓部材であり、粘着性を有するか、または滑り止めの加工されていることを特徴とする請求項１記載の歯ブラシ。
【請求項３】
可撓部材がシリコンゴム、シリコン樹脂、ＡＢＳ、塩化ビニ−ル、合成ゴム、天然ゴムからなることを特徴とする請求項1又は２記載の歯ブラシ。
【発明の詳細な説明】
【技術分野】
【０００１】
この発明は口腔清浄に用いる歯ブラシに関する。          
【背景技術】
【０００２】
歯ブラシを使用し、歯みがきを実施することで、口腔内を清潔に保ち、且つ、病気を予防している。それらは素材や形状など、さまざまなものがあり、その中に、要介護者、幼児、ペット用として、サックの先端部にブラシをつけたものがある。それは、上記対象への歯みがき用として、みがきやすい形状と考えられ、さまざまなブラシ付きサックが考案され、流通している。近年、口腔内の状態が、体全体の病気を引き起こす原因となる可能性があると懸念され始め、ますます歯みがきに対する意識、感心が高まっている。
【０００３】
特許文献１には、ゴムや、プラスチック、その他、弾力性のある柔らかい材質で形成された人差し指と親指用のサックの先端にブラシを設け、給水用のゴム容器を備え、ゴム管とつなぎ、サックの先端までそれを通し、水を出しながら歯みがきを実施する装置で、動物や幼児の歯を飼い主または親がみがきやすくし、歯周病や口臭を無くすことを目的とした装置が開示されている。
【０００４】
上述の装置を用いての歯みがきには以下の問題点がある。まず、対象となる動物、幼児の立場から考えると、ゴムの容器を押すことで水が噴出することを認識するまで時間がかかり、それまでの期間、水が口の中に突然入ってくることに驚き、対処できず、誤って気管のほうに水が入ってしまう危険性が高い。次に、水が上手く口から排出できたとして、その水をどのように処理しながら歯みがきを続行するのか、説明が無いため、分からない。片手で対象の頭を押さえつけて実行するため、両手は既にふさがっているので、対象の首回りに水を受ける容器を装着させる必要がある。更にブラシを装着した側の手からは、噴出した水が指を伝って下へ流れてくるので、対処するために、手首にタオルなどを巻きつける必要がある。また、指に歯ブラシを装着し、ゴム容器を押すことにより、指の力が分散し、指先に力が入らずコントロールを失うため、歯みがきができない。また、奥歯をみがくときは、ゴム容器が邪魔になり、奥歯までブラシが届かない、または、対象の口と実施者の手の間に挟まれた状態になった容器が、指先を伸ばして奥歯へブラシをもっていこうとした場合、不要なタイミングで容器が押され水が噴出してしまう。以上の問題点により、この装置を使用しての歯みがきには、手間と労力と時間がかかり、実施するには実施者と対象への負担が大きいが問題点があった。
【０００５】
上述の問題点について、歯ブラシを模して試作した歯ブラシを図５、図６を用いて確認した。図５において、２は人差し指用サックである。３は親指用サックである。図６はカメラ用のレンズクリーナーである。図６において、１５はポンプである。１６は空気噴出口である。１７はクリーナー用ブラシである。
特許文献２にはゴム手袋式衛生歯ブラシで、人差し指と親指にブラシを設け、その他の指先にも歯茎のマッサージができるゴムブラシや、ペット用においては手のひらに毛繕いができるゴムブラシなどが設けてある。この歯ブラシを用いて口腔内を洗浄し、雑菌がもとで起こる肺炎などの病気も予防できる歯ブラシが開示されている。
【０００６】
上述の装置を用いての歯みがきには以下の問題点がある。まず、実施者の手に密着するくらい大きさが合わないと、手袋に付いているブラシが安定した位置にとどまらず、歯みがきが出来ない。密着するくらいのゴム手袋は装着に時間がかかるうえに、指先のブラシなどの位置を調整する手間がかかるため、歯みがきを実施するまでに時間がかかる問題点があった。
【０００７】
また、ペット用においては手のひらに毛繕いができるゴムブラシが設けてあり、歯みがきをしながら毛繕いをした場合、実施後、毛を手袋から取り除くには手間がかかり、毛が歯ブラシに絡んでしまった場合は取り除くまでに更に手間がかかり、完全に取り除けないまま次回に使用した場合、残った毛をペットがのみ込み不快な思いをさせてしまう。また、ブラシに絡んで残っている毛から雑菌が繁殖し、不衛生な歯ブラシにならないためには、実施後の手入れに時間がかかるため、実施者の負担が大きいという問題点があった。
【０００８】
また、図７は現在流通しているペット用のサック状歯ブラシの１つであり、これを実際に歯みがきの手段として使用しているものである。このサック状の歯ブラシはサック１８部分とグリップ１９部分の材質をＡＢＳ樹脂とし、ブラシ４はナイロン製である。サック１８の下にグリップ１９を設けており、グリップを握ることでサック１８を安定させ、歯みがきを実施するのだが、終始握っての歯磨きが出来ない。加えて、向きを変えるとグリップ１９を握っての歯みがきが困難になるため、サック１８から指を抜き、グリップ１９を握らずに歯みがきを実施しなければならず、扱いづらい。
図７のサック状の歯ブラシ以外も、使用してみたが、扱いづらいものがほとんどであった。ゴムや樹脂製のサックは口径が大きいものが多く、指に合わず、抜け落ち易く、歯みがきが実施できない。また、ニット地を使用したサック状のものは、歯みがきをしている間に摩擦で動き、先端から抜けてしまい、歯みがきが実施できないという問題点があった。
【先行技術文献】
【特許文献】
【０００９】
【特許文献１】特公平０５−１０３５５９号公報
【特許文献２】登録実用新案登録第３１３３４０４号公報
【発明の概要】
【発明が解決しようとする課題】
【００１０】
本発明は、口臭、歯石の付着、歯周病、虫歯、口腔内以外の病気の予防のために、双方のストレスを軽減し、無理なく習慣として歯みがきを続けることができる、扱いやすく、指から抜け落ちず、手入れがしやすく衛生的で、短時間ですみずみまで歯みがきができる歯ブラシを提供することを課題とする。
【課題を解決するための手段】
【００１１】
本発明は、
（１）  可撓部材の両端に指サックとブラシを設けたことを特徴とする歯ブラシ。
（２）  本体のブラシ間の柄が弾力性を有する可撓部材であり、粘着性を有するか、または滑り止めの加工されていることを特徴とする（１）記載の歯ブラシ。
（３）  可撓部材がシリコンゴム、シリコン樹脂、ＡＢＳ、塩化ビニ−ル、合成ゴム、天然ゴムからなることを特徴とする（１）又は（２）記載の歯ブラシ。
である。
【００１２】
上述の歯ブラシは本体の柄１に指の腹を添わせ、両端のサックに人差し指５と親指６をそれぞれ挿入し歯みがきを実施するもの図１である。図１において、１は本体の柄である。２は人差し指用のサックである。３は親指用のサックである。４はブラシである。５は人差し指である。６は親指である。
【００１３】
本体の柄１に弾力性がある撓む材質を使用し、それは指に軽く反発力を感じる程度の弾力性を持っており、人差し指５と親指６の腹を添わせたときに、指の開閉により撓み、また、若干の粘着性のある材質、または、滑り止めの加工によって指に密着することで安定し、指の運動を補助することで、歯ブラシ本体が自在に曲げや伸ばし、ねじることができ、安定した扱いやすい状態になることを特徴とする歯ブラシである。
【００１４】
また、人差し指５と親指６を挿入したサック２と３は、互いに引っ張り合う力で指から抜け落ちることがなくなり、この状態が柄の機能に加わることで、更に指の力加減のコントロールが可能になり、自在に操れる状態で、要介護者、幼児、ペットに対し、歯みがきを行うことができることを特徴とする歯ブラシである。
【００１５】
上述のサックの先端は挿入しやすい円錐形が好ましい。この形状により、滑らかに口腔内に挿入することができる。
また、サックの付け根から先端にかけて切り込みを入れ、指の太さに合わせて指サックの口径が広がるように加工できる。
【００１６】
歯みがきを実施するにあたって、柄の弾力が十分に機能し、安定する場合は、サックの長さは指先が抜けない最低限度まで短くできる。または、ほとんどサックの形状を省略することもできる。
【００１７】
更に、両端にブラシを設けたことによりブラシの方向を変えずに左右交互、または、左右同時に歯みがきが可能になり、短時間で歯みがきを実施できることを特徴とする歯ブラシである。ブラシに植毛するフィラメントは、ナイロン製が好ましい。
【００１８】
図１ではブラシは扁平に植毛しているが、先端側のブラシを短くし、傾斜をつけることもできる。この手段により、奥歯を更にきれいにみがくことができる。
この歯ブラシは、歯みがきを毎日の習慣として実施し、要介護者、幼児、ペットの口腔内を清潔な状態に維持することで、口臭、歯石の付着、歯周病、虫歯、口腔内以外の病気を予防することを課題としているため、実施者と対象者の双方のストレスを軽減し、習慣として歯みがきが実施できる扱いやすいことを特徴とする歯ブラシである。
【００１９】
本体の可撓部材としてはシリコンゴム、シリコン樹脂、ＡＢＳ、塩化ビニ−ル、合成ゴム、天然ゴムなどが好ましく、弾力性に富み、感触が滑らかで、且つ、口の中に入れて安全な衛生基準を満たしたものが好ましい。
上記材質を使用した本体、サックは、材質自体に若干の粘着性がない場合、指の腹に触れる面に滑り止めを加工することが好ましい。この加工により、安定性が増す効果がある。
【００２０】
また、歯ブラシを更に衛生的な状態に保つため、サックの先端に小さな穴をあけ、使用後、歯ブラシ本体を洗浄した後に水はけが良くなるように加工することができる。
【００２１】
この歯ブラシは、本体の全長を１０ｃｍ〜２２ｃｍが好ましく、柄の部分は、幅を１ｃｍ〜３ｃｍ、撓む角度を３０度〜１８０度とすることができる。サックは先端から付け根までの長さを１．５ｃｍ〜８ｃｍが好ましく、付け根の内径を４ｃｍ〜８ｃｍが好ましい。ブラシは、幅を０．５ｃｍ〜１．５ｃｍ、長さを０．５ｃｍ〜２．５ｃｍ、ブラシの高さを０．５ｃｍ〜１．５ｃｍが好ましい。
【００２２】
先述の説明では、ブラシ部分に一般的なナイロン製のフィラメントを植毛しているが、デリケートで傷つきやすい歯茎などの部分を考慮し、合成ゴムなどの材質をブラシ状に形成したものや、歯茎のマッサージを目的としてブラシ部分に弾力のある材質を使用し、盛り上げ、表面に突起を多数つけたもの、突起以外にも凸凹にしたものなど、目的やニーズに合わせて、ブラシ部分をフィラメントの植毛以外の形状で提供することもできる。
【００２３】
また、使い捨ての紙や、ガーゼなどの布を好む実施者のニーズに対応するため、ブラシ部分を本体から独立させ、紙や布を挟めるような仕様にすることもできる。実施例として以下の方法を挙げるが、その方法についてはより安全な方法を選択できるように適宜変更が可能とする。例１としてブラシ部分をカセットのような仕様とする。本体側のブラシ部分は穴があいた形状とし、ブラシ部分を独立させ、紙や、布を合わせた状態でサックの内側から穴へはめ込むようにする。その場合、指で押しださないように穴の周囲と本体の穴の周囲をしっかり作り込む必要がある。例２として紙や、布を挟む部分を設けたサックの先を完全に独立させ凸凹状のネジ式に加工し、本体に取り付ける方法である。
【００２４】
また、紙や、布などを重ねる手間が省ける、紙や布を加工した使い捨てのブラシ部分を提供することもできる。
上述のブラシ部分のさまざまな加工の発展した展開として、本体とサックの先端を独立させ、上述したいくつかの種類のブラシを単体にして組み合わせた歯ブラシセットとして提供することもできる。
歯ブラシに照明を設けて歯みがきを実施しながら口の状態を確認することができる加工もできる。
【００２５】
本発明は課題を解決するための歯ブラシであり、歯みがきの実施者に興味を持たせる全体のデザイン、バランスが良い歯ブラシであり、要介護者用、幼児用、ペット用として対象に合わせて大きさに違いがある歯ブラシである。それらを具現化する手段として必要に応じて、各部分の大きさや、カーブ、角度、厚さ、形状の調整、材質を適宜変更可能とすることができる。
【発明の効果】
【００２６】
本発明によれば、材質に若干の粘着性のある材質、または、滑り止めの加工を施した本体の柄は、指に軽く反発力を感じる程度の弾力性を持っており、人差し指と親指の腹を添わせたときに、指の開閉により撓み、指に密着し、指の運動を補助することで、歯ブラシ本体は自在に曲げや伸ばし、ねじることができ、歯に対し、最適の角度で磨くことができ、また、指で歯ブラシを押さえる力を加減することができることにより、歯の隅々まできれいに磨くことができる。また、力を加減することにより、歯茎を痛めることがない。
また、人差し指と親指を挿入したサックは、互いに引っ張り合う力で指から抜け落ちることがなくなり、安定して歯磨きをすることができる。この状態が柄の機能に加わり、更に指の力加減のコントロールが可能になり、自在に操れる状態で、要介護者、幼児、ペットに対し、速やかに短時間ですみずみまでみがくことができる。更に、両端にブラシを設けたことによりブラシの方向を変えずに左右交互、または、左右同時に歯磨きが可能になり、更に時間を短縮できる効果を有する。
さらに、両歯ブラシ間の距離を片手の親指と人差し指の間に最適化することにより、指にぴったりとフィットして効率的に歯磨きを行うことができる。
【００２７】
上述のように速やかに短時間で歯みがきを実施することで、実施者と、対象となる要介護者、幼児、ペットの双方のストレスが軽減され、無理なく習慣として歯みがきができることで、要介護者、幼児、ペットの口腔内は清潔な状態を維持できるようになり、口臭、歯石の付着、歯周病、虫歯、口腔内以外の病気の予防に効果があり、歯みがきを実施しないことが原因で起きる上述の深刻な病気などにより心身共に与える大きなストレスを避けることができる。
【００２８】
また、先述の材質などが材質のこの歯ブラシは、簡単に洗浄できるため、手入れが簡単で衛生的な状態を保つことができる。
【図面の簡単な説明】
【００２９】
【図１】本発明の歯ブラシ
【図２】実施した歯ブラシ１
【図３】実施した歯ブラシ２
【図４】幼児用のシリコン製のスプーン
【図５】指歯ブラシ
【図６】カメラレンズのクリーナー
【図７】従来の歯ブラシの一例
【発明を実施するための形態】
【００３０】
本発明を実施例でもって説明する。
【実施例１】
【００３１】
図２は指サック部分と本体に、可撓部材を使用し、一体に形成したペット用の歯ブラシの一実施例である。
図２において、７は本体の柄とサックの下側である。８は人差し指側サックの上側である。９は親指側サックの上側である。１０は図７のブラシのついたサックの先端を切り落とした部分である。１１は輪ゴムである。
【００３２】
上記歯ブラシの本体の柄とサック下側７と人差し指側サックの上側８、親指側サックの上側９に口径２０ｍｍの散水用のホースを使用した。このホースは内側にゴムの樹脂で加工されている。ブラシ部分１０は図７の従来の歯ブラシを２本用意し、ブラシのついたサックの先端部分を切り落として使用した。
【００３３】
本体の柄とサックの下側７を一体にし、その部分用の筒状のホースを１２ｃｍにカットし、それを更に半分にカットし、指の腹を添わせる部分を作り、柄は撓みやすくするために、両端のサックのところまでの間に、５ｍｍ間隔で３ｍｍ程度の深さの切り込みを入れた。次にサック上側８と９として、新たに用意したホースを半分にカットしたものを、指を覆う長さにカットし、指の付け根部分は丸く成形した。上記の柄とサック下側が一体となった本体と、サック上側を重ね合わせ、本体の両端にブラシ部分１０をそれぞれ対向位置に配置して、上下サックの間に挟み、まとめて輪ゴム１１で固定した。また、親指側のサックは、付け根部分を指の反りに合うようにホースを切り開き、反った形状にした。また、サック挿入口には切り込みを入れ、指の太さに合わせて口径が大きくなるよう調節可能にした。
【００３４】
上記歯ブラシを実際に試してみたところ、本体の柄は、指の腹を添わせたときに、指に軽く反発力を感じる程度の弾力性がある撓む柄となり、ホースの内側がゴム樹脂で加工してあることで滑り止めとなり、指に密着し、指の運動を補助し、歯ブラシ本体は自在に曲げや伸ばし、ねじることができ、安定した扱いやすい状態になった。また、人差し指と親指を挿入したサックは、互いに引っ張り合う力で指から抜け落ちず、自在に操れる状態で、ペットに対し、容易に歯みがきを行うことができた。更に、両端にブラシを設けたことによりブラシの方向を変えずに左右交互、または、左右同時に歯みがきができ、短時間ですみずみまでみがくことができた。装着から歯みがきの実施、使用後の歯ブラシの洗浄まで終始滞りなく実施でき、双方のストレスも軽減し、毎日歯みがきを行うことができる扱いやすい歯ブラシであると確認できた。
【実施例２】
【００３５】
図３は上記歯ブラシ図２をもとに、樹脂粘土で本体とサックを一体にした型を作り、石膏で型抜きし、シリコンゴムを流し込んで硬化させ、ゴム製の歯ブラシのブラシ部分を切り取り、貼り付けたものである。図３において、１は本体の柄である。２は人差し指側サックである。３は親指側サックである。１２はゴム製のブラシである。
【００３６】
材質を選ぶ際にシリコン製の幼児用のスプーン図４を購入したところ、程良い粘着性があり、指の腹を添わせ、撓ませてみたところ、それは指に吸い付き、弾力は理想的であった。また、スプーンは柄と同じ材質ではあるが、粘着性を感じず、口の中に滑らかに挿入できた。実施例２はそのスプーンを応用したものであり、本発明の歯ブラシに適した材質の候補の中の１つであると確認できた。図４において、１３はスプーンの口に入れる部分である。１４はスプーンの柄である。
【符号の説明】
【００３７】
１  本体の柄
２  人差し指用サック
３  親指用サック
４  ブラシ
５  人差し指
６  親指
７  柄とサックの下側
８  人差し指側サックの上側
９  親指用サックの上側
１０  図７のブラシのついたサックの先端を切り落とした部分
１１  輪ゴム
１２  ゴム製のブラシ
１３  スプーンの口に入れる部分
１４  スプーンの柄
１５  ポンプ
１６  空気噴出口
１７  クリーナー用ブラシ
１８  サック
１９  グリップ
【図１】
2014083350.tif 000003
【図２】
2014083350.tif 000004
【図３】
2014083350.tif 000005
【図４】
2014083350.tif 000006
【図５】
2014083350.tif 000007
【図６】
2014083350.tif 000008
【図７】
2014083350.tif 000009